(57)【要約】【課題】運転習熟度に起因する走行状態の保存を抑制して、記録媒体の容量を効率的に使用した走行状態の保存を図ること。【解決手段】連続的に入力されてくる移動体の走行状態に関する情報を上書き記録する情報記録装置１００において、取得部１０１は、ユーザによる移動体の運転習熟度を取得する。決定部１０２は、移動体の挙動の検出感度を、取得部１０１によって取得された運転習熟度に応じた検出感度に決定する。検出部１０３は、決定部１０２によって決定された検出感度により移動体の挙動を検出する。そして、保存部１０４は、検出部１０３によって移動体の挙動が検出されたときの移動体の走行状態に関する情報を記録媒体に保存する。【選択図】図１
2007126090.tif 000002
【特許請求の範囲】
【請求項１】
連続的に入力されてくる移動体の走行状態に関する情報を上書き記録する情報記録装置において、
ユーザによる前記移動体の運転習熟度を取得する取得手段と、
前記移動体の挙動の検出感度を、前記取得手段によって取得された運転習熟度に応じた検出感度に決定する決定手段と、
前記決定手段によって決定された検出感度により前記移動体の挙動を検出する検出手段と、
前記検出手段によって前記移動体の挙動が検出されたときの前記移動体の走行状態に関する情報を記録媒体に保存する保存手段と、
を備えることを特徴とする情報記録装置。
【請求項２】
前記ユーザを認識する認識手段を有し、
前記取得手段は、前記認識手段によって認識されたユーザに関連づけられた運転習熟度を取得することを特徴とする請求項１に記載の情報記録装置。
【請求項３】
前記取得手段は、前記認識手段によって認識されたユーザの運転履歴に基づいて、前記運転習熟度を取得することを特徴とする請求項１または２に記載の情報記録装置。
【請求項４】
移動中の前記移動体における挙動に基づいて、前記運転習熟度を判定する判定手段をさらに備え、
前記取得手段は、前記判定手段によって判定された前記運転習熟度を取得することを特徴とする請求項１〜３のいずれか一つに記載の情報記録装置。
【請求項５】
前記移動体における運転所要時間を算出する算出手段を有し、
前記決定手段は、前記算出手段によって算出された運転所要時間内の前記記録媒体への保存量が所定量以下となるように前記検出感度を決定することを特徴とする請求項１に記載の情報記録装置。
【請求項６】
連続的に入力されてくる移動体の走行状態に関する情報を上書き記録する情報記録方法において、
ユーザによる前記移動体の運転習熟度を取得する取得工程と、
前記移動体の挙動の検出感度を、前記取得工程によって取得された運転習熟度に応じた検出感度に決定する決定工程と、
前記決定工程によって決定された検出感度により前記移動体の挙動を検出する検出工程と、
前記検出工程によって前記移動体の挙動が検出されたときの前記移動体の走行状態に関する情報を記録媒体に保存する保存工程と、
を含んだことを特徴とする情報記録方法。
【請求項７】
請求項６に記載の情報記録方法をコンピュータに実行させることを特徴とする情報記録プログラム。
【請求項８】
請求項７に記載の情報記録プログラムを記録したことを特徴とするコンピュータに読み取り可能な記録媒体。
【発明の詳細な説明】
【技術分野】
【０００１】
この発明は、情報を記録する情報記録装置、情報記録方法、情報記録プログラムおよびコンピュータに読み取り可能な記録媒体に関する。ただし、この発明の利用は、上述した情報記録装置、情報記録方法、情報記録プログラムおよびコンピュータに読み取り可能な記録媒体には限られない。
【背景技術】
【０００２】
従来、飛行機に搭載されたフライトレコーダと同様に、走行中の車両の周辺状況の記録をおこなうドライブレコーダが知られている。このようなドライブレコーダは、たとえば、車両前方を撮影する前方カメラ、後方を撮影する後方カメラ、前方および後方映像を基準信号に同期して画像メモリの所定領域に書き込む分割映像形成部を備える。
【０００３】
ドライブレコーダは、画像メモリ情報に車両位置情報および時刻情報を付与してバッファメモリに定常的に記録する。そして、衝撃検知センサの所定値以上となることをトリガーとして映像を保存し、あて逃げ事件などの事件に遭遇したとき、あて逃げ車両の特定や事故における検証資料として利用する提案がされている（たとえば、下記特許文献１参照。）。
【０００４】
【特許文献１】特開２００４−２２４１０５号公報
【発明の開示】
【発明が解決しようとする課題】
【０００５】
しかしながら、上記従来技術によれば、衝撃検知センサによって事故時に近似するような所定値以上の衝撃をトリガーとして検知し、トリガー検知時の映像を保存する。したがって、ドライバーが、おとなしい運転をおこなう場合に比べて、荒い運転の多い場合は、実際に事故に遭遇してなくても、所定値以上の衝撃の誤トリガーを検知して、映像を保存する回数が増大するという問題が一例として挙げられる。また、映像を多数回保存すると、記録領域が不足してしまい、重大な事故に遭遇したときに、事故時の映像を保存できなくなる場合があるという問題が一例として挙げられる。
【課題を解決するための手段】
【０００６】
上述した課題を解決し、目的を達成するため、請求項１の発明にかかる情報記録装置は、連続的に入力されてくる移動体の走行状態に関する情報を上書き記録する情報記録装置において、ユーザによる前記移動体の運転習熟度を取得する取得手段と、前記移動体の挙動の検出感度を、前記取得手段によって取得された運転習熟度に応じた検出感度に決定する決定手段と、前記決定手段によって決定された検出感度により前記移動体の挙動を検出する検出手段と、前記検出手段によって前記移動体の挙動が検出されたときの前記移動体の走行状態に関する情報を記録媒体に保存する保存手段と、を備えることを特徴とする。
【０００７】
また、請求項５の発明にかかる情報記録方法は、連続的に入力されてくる移動体の走行状態に関する情報を上書き記録する情報記録方法において、ユーザによる前記移動体の運転習熟度を取得する取得工程と、前記移動体の挙動の検出感度を、前記取得工程によって取得された運転習熟度に応じた検出感度に決定する決定工程と、前記決定工程によって決定された検出感度により前記移動体の挙動を検出する検出工程と、前記検出工程によって前記移動体の挙動が検出されたときの前記移動体の走行状態に関する情報を記録媒体に保存する保存工程と、を含んだことを特徴とする。
【０００８】
また、請求項７の発明にかかる情報記録プログラムは、請求項６に記載の情報記録方法をコンピュータに実行させることを特徴とする。
【０００９】
また、請求項８の発明にかかるコンピュータに読み取り可能な記録媒体は、請求項７に記載の情報記録プログラムを記録したことを特徴とする。
【発明を実施するための最良の形態】
【００１０】
以下に添付図面を参照して、この発明にかかる情報記録装置、情報記録方法、情報記録プログラムおよびコンピュータに読み取り可能な記録媒体の好適な実施の形態を詳細に説明する。
【００１１】
（実施の形態）
（情報記録装置の機能的構成）
図１を用いて、本実施の形態にかかる情報記録装置の機能的構成について説明する。図１は、本実施の形態にかかる情報記録装置の機能的構成の一例を示すブロック図である。
【００１２】
図１において、連続的に入力されてくる移動体の走行状態に関する情報を上書き記録する情報記録装置１００は、取得部１０１と、決定部１０２と、検出部１０３と、保存部１０４と、認識部１０５と、算出部１０６と、を含み構成されている。
【００１３】
取得部１０１は、ユーザによる移動体の運転習熟度を取得する。運転習熟度は、たとえば、ユーザの過去における運転の履歴に応じたものでもよい。より具体的には、ユーザの事故歴や運転性向や免許取得年数などによってランク分けされる構成でもよい。運転習熟度の取得は、たとえば、あらかじめ図示しない記録媒体に登録された運転習熟度を読み込んでもよい。また、運転習熟度は、たとえば、移動中の移動体に対する操作や移動体の挙動に基づいて判定する構成としてもよい。より具体的には、走行中の車線の位置と自車の位置関係に基づいて、位置のずれの度合いによって判定したり、速度変化のなめらかさなどによって判定してもよい。
【００１４】
また、取得部１０１は、後述する認識部１０５によって認識されたユーザに関連づけられた運転習熟度を取得する構成としてもよい。さらに、認識部１０５によって認識されたユーザの運転履歴に基づいて、運転習熟度を取得することとしてもよい。運転履歴に基づいた運転習熟度は、たとえば、図示しない記録媒体に累積保存された、ユーザの移動体の運転に関する情報によって判定される構成でもよい。運転に関する情報は、たとえば、走行距離や、危険操作の回数および内容などを含む情報でもよい。
【００１５】
決定部１０２は、移動体の挙動の検出感度を、取得部１０１によって取得された運転習熟度に応じた検出感度に決定する。移動体の挙動は、たとえば、後述する検出部１０３によって検出するもので、移動体の動作や操作を含む情報などでもよい。また、検出感度は、検出部１０３における挙動を検出する感度である。また、あわせて決定部１０２は、後述する算出部１０６によって算出された運転所定時間内の、記録媒体への保存量が所定量以下となるように検出感度を決定する構成でもよい。
【００１６】
検出部１０３は、決定部１０２によって決定された検出感度によって移動体の挙動を検出する。移動体の挙動は、たとえば、移動体の動作や操作を含む情報で、移動体に搭載された各種センサの出力に基づいて検出する構成でもよい。より具体的には、振動センサやＧセンサや移動体に対する接触センサ、およびハンドル操作や方向指示信号の入力操作やアクセルペダルの操作やブレーキペダルの操作などの操作に関する情報を検出できるセンサでもよい。また、挙動の検出は、たとえば、各種センサの出力に所定のしきい値あるいは所定のパターンを設けて、しきい値以上あるいは所定のパターンと近似する出力となる場合に検出することとしてもよい。より具体的には、移動体が危険な挙動を示す場合のしきい値でもよく、衝突などによる所定値以上あるいは所定のパターンの急激な振動やＧ、所定の角度以上あるいは所定のパターンの急ハンドルをおこなう操作や所定のパターンの加速および減速などを検出する構成でもよい。
【００１７】
保存部１０４は、検出部１０３によって移動体の挙動が検出されたときの移動体の走行状態に関する情報を記録媒体に保存する。走行状態に関する情報は、たとえば、移動体の移動経路、移動速度、移動体周辺の映像・音声、挙動が検出されたときの時間および検出部１０３の検出結果などを含む情報である。
【００１８】
認識部１０５は、ユーザを認識する。ユーザの認識は、たとえば、あらかじめ図示しない記録媒体に登録されたユーザ情報と照合をおこなう構成でもよい。より具体的には、図示しない入力部から入力されるユーザに関する入力情報と、ユーザ情報とを、照合する構成でもよく、入力情報やユーザ情報は、たとえば、指紋や声紋や顔画像や登録番号などユーザを識別できる情報であればよい。
【００１９】
算出部１０６は、移動体における運転所要時間を算出する。運転所要時間の算出は、たとえば、移動体の移動速度と出発地点あるいは現在地点から目的地点までの距離に基づいて算出する構成でもよく、道路情報や渋滞情報などの道路交通情報を加味する構成としてもよい。また、目的地点に到達する到達時刻を算出してもよい。
【００２０】
（情報記録装置の処理の内容）
つぎに、図２を用いて本実施の形態にかかる情報記録装置１００の処理の内容について説明する。図２は、本実施の形態にかかる情報記録装置の処理の内容を示すフローチャートである。図２のフローチャートにおいて、まず、情報記録装置１００は、移動体が走行中となったか否かを判断する（ステップＳ２０１）。ここで、移動体が走行中となるのを待って、走行中となった場合（ステップＳ２０１：Ｙｅｓ）は、つづいて、取得部１０１は、ユーザによる移動体の運転習熟度を取得する（ステップＳ２０２）。運転習熟度は、たとえば、ユーザの過去における運転の履歴に応じたものでもよく、ユーザの事故歴や運転性向や免許取得年数などによってランク分けされる構成でもよい。また、運転習熟度の取得は、たとえば、あらかじめ図示しない記録媒体に登録された運転習熟度を読み込んだり、運転中の移動体に対する操作や移動体の挙動に基づいて取得する構成としてもよい。
【００２１】
つづいて、決定部１０２は、ステップＳ２０２において取得された運転習熟度に応じて、移動体の挙動を検出する検出感度を決定する（ステップＳ２０３）。検出感度は、たとえば、検出部１０３における移動体の挙動を検出する感度である。
【００２２】
つづいて、検出部１０３は、ステップＳ２０３において決定された検出感度によって移動体の挙動を検出する（ステップＳ２０４）。移動体の挙動は、たとえば、移動体の動作や操作を含む情報で、移動体に搭載された各種センサの出力に基づいて検出する構成でもよい。また、挙動の検出は、たとえば、各種センサに所定のしきい値を設けて、しきい値以上の出力となる場合に検出することとしてもよい。
【００２３】
つぎに、保存部１０４は、図示しない記録媒体に、ステップＳ２０４において移動体の挙動が検出されたときの移動体の走行状態に関する情報を保存して（ステップＳ２０５）、一連の処理を終了する。走行状態に関する情報は、たとえば、移動体の移動経路、移動速度、移動体周辺の映像・音声、挙動が検出されたときの時間および検出部１０３の検出結果などを含む情報である。
【００２４】
なお、ステップＳ２０２における運転習熟度の取得は、認識部１０５によって認識されたユーザに関連づけられた運転習熟度を取得する構成でもよい。ユーザの認識は、たとえば、図示しない入力部から入力されるユーザに関する入力情報と、ユーザ情報とを、照合して認識をおこなってもよい。また、入力情報やユーザ情報は、たとえば、指紋や声紋や顔画像や登録番号などユーザを識別できる情報であればよい。
【００２５】
さらに、ステップＳ２０２において取得される運転習熟度は、認識部１０５によって認識されたユーザの運転履歴に基づくものであってもよい。運転履歴に基づいた運転習熟度は、たとえば、図示しない記録媒体に累積保存された、ユーザの移動体の運転に関する情報によって判定される構成でもよい。また、ステップＳ２０２において取得される運転習熟度は、移動体の移動中における運転に関する情報に基づいて判定される構成でもよい。より具体的には、走行中の車線の位置と自車の位置関係に基づいて、位置のずれの度合いによって判定したり、速度変化のなめらかさなどによって判定してもよい。運転に関する情報は、たとえば、走行距離や、危険操作の回数および内容などを含む情報でもよい。
【００２６】
また、ステップＳ２０３における検出感度の決定は、運転習熟度および算出部１０６によって算出された運転所定時間内の、記録媒体への保存量が所定量以下となるように検出感度を決定する構成でもよい。運転所要時間の算出は、たとえば、移動体の移動速度と出発地点あるいは現在地点から目的地点までの距離に基づいて算出する構成でもよく、道路情報や渋滞情報などの道路交通情報を加味する構成としてもよい。また、目的地点に到達する到達時刻を算出してもよい。
【００２７】
以上説明したように、本実施の形態によれば、ユーザによる移動体の運転習熟度に応じて、移動体の挙動の検出感度を決定して、移動体の挙動が検出されたときの移動体の走行状態を記録媒体へ保存する。したがって、運転習熟度に起因する走行状態の保存を抑制して、記録媒体の容量を効率的に使用した走行状態の保存を図ることができる。
【実施例】
【００２８】
以下に、本発明の実施例について説明する。本実施例では、たとえば、車両（四輪車、二輪車を含む）などの移動体に搭載されるナビゲーション装置によって、本発明の情報記録装置を実施した場合の一例について説明する。
【００２９】
（ナビゲーション装置の周辺機器構成）
まず、図３を用いて、本実施例にかかるナビゲーション装置の周辺機器構成について説明する。図３は、本実施例にかかるナビゲーション装置が設置された車両のダッシュボード付近の一例を示す説明図である。
【００３０】
図３において、ナビゲーション装置３００は、車両のダッシュボードに設置されている。ナビゲーション装置３００は、本体部Ｍおよび表示部（ディスプレイ）Ｄによって構成され、表示部Ｄには車両の現在地点や地図情報、現在時刻などが表示される。
【００３１】
また、ナビゲーション装置３００には、ダッシュボード上に設置された車載用カメラ３１１、サンバイザーに設置された車載用マイク３１２が接続されている。車載用カメラ３１１は、車外前方を撮影する固定カメラと、車室内を撮影する固定カメラにより構成される。車載用マイク３１２は、ナビゲーション装置３００の音声入力による操作や車内の様子を記録する際などに用いられる。
【００３２】
また、図示しないが、車載用カメラ３１１は、車両の後部に取り付けられていてもよい。車両の後部に車載用カメラ３１１が取り付けられている場合、車両の後方の安全確認ができる他、他の車両から追突された際に追突時の状況を記録することができる。この他、車載用カメラ３１１は、暗所の記録をおこなう赤外線カメラであってもよい。また、車載用カメラ３１１および車載用マイク３１２は、車両に複数設置されていてもよいし、固定式でなく可動式のカメラであってもよい。
【００３３】
ナビゲーション装置３００は、目的地点までの経路探索および情報記録をおこなう他、車両の走行状態について記録するドライブレコーダ機能を有している。ドライブレコーダ機能は、車載用カメラ３１１や車載用マイク３１２で得られた映像および音声や後述するＧＰＳユニット４１５や各種センサ４１６で得られた車両の現在地点情報や走行速度の変化などを、ナビゲーション装置３００の記録媒体（後述する磁気ディスク４０５、光ディスク４０７）に記録する。
【００３４】
このようなドライブレコーダ機能を用いて走行状態を常時記録することによって、自車が事故に巻き込まれた場合や、自車の周囲で事故が発生した場合に、事実関係の究明に用いる資料を得ることができる。ドライブレコーダ機能を用いて記録する情報は、記録媒体の記録容量を超えない限り蓄積してもよいし、所定時間分の記録を残して逐次消去してもよい。また、記録媒体は、走行状態を常時記録する上書き記録用の記録領域と、事故に巻き込まれた場合に走行状態を保存する保存用の保存領域を有するものであってもよいし、上書き記録用の記録媒体と保存用の記録媒体をそれぞれ複数備える構成としてもよい。
【００３５】
（ナビゲーション装置３００のハードウェア構成）
つぎに、図４を用いて、本実施例にかかるナビゲーション装置３００のハードウェア構成について説明する。図４は、本実施例にかかるナビゲーション装置のハードウェア構成の一例を示すブロック図である。
【００３６】
図４において、ナビゲーション装置３００は、車両などの移動体に搭載されており、ＣＰＵ４０１と、ＲＯＭ４０２と、ＲＡＭ４０３と、磁気ディスクドライブ４０４と、磁気ディスク４０５と、光ディスクドライブ４０６と、光ディスク４０７と、音声Ｉ／Ｆ（インターフェース）４０８と、マイク４０９と、スピーカ４１０と、入力デバイス４１１と、映像Ｉ／Ｆ４１２と、ディスプレイ４１３と、通信Ｉ／Ｆ４１４と、ＧＰＳユニット４１５と、各種センサ４１６と、カメラ４１７と、を備えている。また、各構成部４０１〜４１７はバス４２０によってそれぞれ接続されている。
【００３７】
まず、ＣＰＵ４０１は、ナビゲーション装置３００の全体の制御を司る。ＲＯＭ４０２は、ブートプログラム、経路探索プログラム、経路誘導プログラム、音声生成プログラム、地図情報表示プログラム、通信プログラム、データベース作成プログラム、データ解析プログラムなどのプログラムを記録している。また、ＲＡＭ４０３は、ＣＰＵ４０１のワークエリアとして使用される。
【００３８】
ここで、経路探索プログラムは、後述する光ディスク４０７に記録されている地図情報などを利用して、出発地点から目的地点までの最適な経路を探索させる。ここで、最適な経路とは、目的地点までの最短（あるいは最速）経路やユーザが指定した条件に最も合致する経路などである。また、目的地点のみならず、立ち寄り地点や休憩地点までの経路を探索してもよい。経路探索プログラムを実行することによって探索された誘導経路は、ＣＰＵ４０１を介して音声Ｉ／Ｆ４０８や映像Ｉ／Ｆ４１２へ出力される。
【００３９】
また、経路誘導プログラムは、経路探索プログラムを実行することによって探索された誘導経路情報、通信Ｉ／Ｆ４１４によって取得されたナビゲーション装置３００の現在地点情報、光ディスク４０７から読み出された地図情報に基づいて、リアルタイムな経路誘導情報の生成をおこなわせる。経路誘導プログラムを実行することによって生成された経路誘導情報は、ＣＰＵ４０１を介して音声Ｉ／Ｆ４０８や映像Ｉ／Ｆ４１２へ出力される。
【００４０】
また、音声生成プログラムは、パターンに対応したトーンと音声の情報を生成させる。すなわち、経路誘導プログラムを実行することによって生成された経路誘導情報に基づいて、案内ポイントに対応した仮想音源の設定と音声ガイダンス情報の生成をおこない、ＣＰＵ４０１を介して音声Ｉ／Ｆ４０８へ出力する。
【００４１】
また、地図情報表示プログラムは、映像Ｉ／Ｆ４１２によってディスプレイ４１３に表示する地図情報の表示形式を決定させ、決定された表示形式によって地図情報をディスプレイ４１３に表示させる。
【００４２】
また、ＣＰＵ４０１は、トリガー検知のしきい値を設定する。トリガーは、たとえば、
後述するドライブレコーダ用画像を保存するきっかけとなるもので、各種センサ４１６における、所定のしきい値以上の出力や所定のパターンと近似する出力などをトリガーとする構成でもよい。また、トリガー検知のしきい値は、たとえば、トリガーを検知するしきい値で、各種センサ４１６のセンサ検出感度などでもよい。
【００４３】
また、ＣＰＵ４０１による、トリガー検知のしきい値の設定は、たとえば、ユーザの運転習熟度に応じておこなう構成でもよい。運転習熟度は、たとえば、ユーザの事故歴や運転性向や免許取得年数など、過去における運転の履歴に応じてランク分けされたものでもよく、あらかじめ登録された運転の履歴に所定のしきい値を設けて判定してもよい。より具体的には、事故歴のないユーザやゴールド免許保持者は運転習熟度をＡランクとし、過去３年に事故を１〜２回起こしたユーザはＢランクとする判定をおこなってもよい。ランク分けは、前述によらず、事故の重大度などによってもよい。
【００４４】
また、トリガー検知のしきい値の設定は、たとえば、後述する磁気ディスク４０５、光ディスク４０７などの記録媒体に累積保存された、ユーザの車両の運転に関する情報によって判定できる運転習熟度を用いる構成でもよい。運転に関する情報は、たとえば、走行距離や、危険操作の回数および内容などを含む情報でもよい。前述の運転習熟度は、ユーザに関連づけられて登録される構成でもよく、ユーザを認識して、認識されたユーザの運転習熟度を取得してトリガー検知のしきい値を設定することとしてもよい。ユーザの認識は、たとえば、あらかじめ後述する磁気ディスク４０５、光ディスク４０７などの記録媒体に登録されたユーザ情報と照合をおこなう構成でもよい。より具体的には、入力デバイス４１１から入力されるドライバー情報と、ユーザ情報とを、照合する構成でもよく、ドライバー情報やユーザ情報は、たとえば、指紋や声紋や顔画像や登録番号などユーザを識別できる情報であればよい。
【００４５】
さらに、トリガー検知のしきい値の設定は、たとえば、車両における運転所要時間や後述する磁気ディスク４０５、光ディスク４０７などの記録媒体の容量に基づいておこなう構成でもよい。より具体的には、たとえば、運転習熟度に応じて、記録媒体の容量に応じた単位時間あたりの標準保存回数と運転所要時間とを参照してしきい値を設定する構成でもよい。
【００４６】
磁気ディスクドライブ４０４は、ＣＰＵ４０１の制御にしたがって磁気ディスク４０５に対するデータの読み取り／書き込みを制御する。磁気ディスク４０５は、磁気ディスクドライブ４０４の制御で書き込まれたデータを記録する。磁気ディスク４０５としては、たとえば、ＨＤ（ハードディスク）やＦＤ（フレキシブルディスク）を用いることができる。
【００４７】
また、光ディスクドライブ４０６は、ＣＰＵ４０１の制御にしたがって光ディスク４０７に対するデータの読み取り／書き込みを制御する。光ディスク４０７は、光ディスクドライブ４０６の制御にしたがってデータの読み出される着脱自在な記録媒体である。光ディスク４０７は、書き込み可能な記録媒体を利用することもできる。また、この着脱可能な記録媒体として、光ディスク４０７のほか、ＭＯ、メモリカードなどであってもよい。
【００４８】
磁気ディスク４０５、光ディスク４０７に記録される情報の一例として、図３に示した車載用カメラ３１１や車載用マイク３１２で得られた車内外の映像や音声、後述するＧＰＳユニット４１５で検出された車両の現在地点情報、後述する各種センサ４１６からの出力値などが挙げられる。これらの情報は、ナビゲーション装置３００が有するドライブレコーダ機能によって記録され、交通事故発生時の検証用資料などとして用いられる。
【００４９】
その他、磁気ディスク４０５、光ディスク４０７に記録される情報の他の一例として、経路探索・経路誘導などに用いる地図情報が挙げられる。地図情報は、建物、河川、地表面などの地物（フィーチャ）をあらわす背景データと、道路の形状をあらわす道路形状データとを有しており、ディスプレイ４１３の表示画面において２次元または３次元に描画される。ナビゲーション装置３００が経路誘導中の場合は、地図情報と後述するＧＰＳユニット４１５によって取得された自車の現在地点とが重ねて表示されることとなる。
【００５０】
道路形状データは、さらに交通条件データを有する。交通条件データには、たとえば、各ノードについて、信号や横断歩道などの有無、高速道路の出入り口やジャンクションの有無、各リンクについての長さ（距離）、道幅、進行方向、道路種別（高速道路、有料道路、一般道路など）などの情報が含まれている。
【００５１】
また、交通条件データには、過去の渋滞情報を、季節・曜日・大型連休・時刻などを基準に統計処理した過去渋滞情報を記憶している。ナビゲーション装置３００は、後述する通信Ｉ／Ｆ４１４によって受信される道路交通情報によって現在発生している渋滞の情報を得るが、過去渋滞情報により、指定した時刻における渋滞状況の予想をおこなうことが可能となる。
【００５２】
なお、本実施例では地図情報を磁気ディスク４０５、光ディスク４０７に記録するようにしたが、これに限るものではない。地図情報は、ナビゲーション装置３００のハードウェアと一体に設けられているものに限って記録されているものではなく、ナビゲーション装置３００外部に設けられていてもよい。その場合、ナビゲーション装置３００は、たとえば、通信Ｉ／Ｆ４１４を通じて、ネットワークを介して地図情報を取得する。取得された地図情報はＲＡＭ４０３などに記憶される。
【００５３】
また、音声Ｉ／Ｆ４０８は、音声入力用のマイク４０９（たとえば、図３の車載用マイク３１２）および音声出力用のスピーカ４１０に接続される。マイク４０９に受音された音声は、音声Ｉ／Ｆ４０８内でＡ／Ｄ変換される。また、スピーカ４１０からは音声が出力される。なお、マイク４０９から入力された音声は、音声データとして磁気ディスク４０５あるいは光ディスク４０７に記録可能である。
【００５４】
また、入力デバイス４１１は、文字、数値、各種指示などの入力のための複数のキーを備えたリモコン、キーボード、マウス、タッチパネルなどが挙げられる。
【００５５】
また、映像Ｉ／Ｆ４１２は、ディスプレイ４１３およびカメラ４１７（たとえば、図３の車載用カメラ３１１）と接続される。映像Ｉ／Ｆ４１２は、具体的には、たとえば、ディスプレイ４１３全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ４１３を表示制御する制御ＩＣなどによって構成される。
【００５６】
ディスプレイ４１３には、アイコン、カーソル、メニュー、ウインドウ、あるいは文字や画像などの各種データが表示される。このディスプレイ４１３は、たとえば、ＣＲＴ、ＴＦＴ液晶ディスプレイ、プラズマディスプレイなどを採用することができる。ディスプレイ４１３は、たとえば、図３の表示部Ｄのような態様で設置される。また、ディスプレイ４１３は、車両に複数備えられていてもよく、たとえば、運転者に対するものと後部座席に着座する搭乗者に対するものなどである。
【００５７】
カメラ４１７は、車両内部あるいは外部の映像を撮影する。映像は静止画あるいは動画のどちらでもよく、たとえば、カメラ４１７によって車両内部の搭乗者の挙動を撮影し、撮影した映像を映像Ｉ／Ｆ４１２を介して磁気ディスク４０５や光ディスク４０７などの記録媒体に出力する。また、カメラ４１７によって車両外部の状況を撮影し、撮影した映像を映像Ｉ／Ｆ４１２を介して磁気ディスク４０５や光ディスク４０７などの記録媒体に出力する。また、記録媒体に出力された映像は、ドライブレコーダ用画像として上書き記録や保存がおこなわれる。
【００５８】
また、通信Ｉ／Ｆ４１４は、無線を介してネットワークに接続され、ナビゲーション装置３００とＣＰＵ４０１とのインターフェースとして機能する。通信Ｉ／Ｆ４１４は、さらに、無線を介してインターネットなどの通信網に接続され、この通信網とＣＰＵ４０１とのインターフェースとしても機能する。
【００５９】
通信網には、ＬＡＮ、ＷＡＮ、公衆回線網や携帯電話網などがある。具体的には、通信Ｉ／Ｆ４１４は、たとえば、ＦＭチューナー、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）／ビーコンレシーバ、無線ナビゲーション装置、およびその他のナビゲーション装置によって構成され、ＶＩＣＳセンターから配信される渋滞や交通規制などの道路交通情報を取得する。なお、ＶＩＣＳは登録商標である。
【００６０】
また、ＧＰＳユニット４１５は、ＧＰＳ衛星からの受信波や後述する各種センサ４１６（たとえば、角速度センサや加速度センサ、タイヤの回転数など）からの出力値を用いて、車両の現在地点（ナビゲーション装置３００の現在地点）を示す情報を算出する。現在地点を示す情報は、たとえば緯度・経度、高度などの、地図情報上の１点を特定する情報である。また、ＧＰＳユニット４１５は、各種センサ４１６からの出力値を用いて、オドメーター、速度変化量、方位変化量を出力する。これにより、急ブレーキ、急ハンドルなどの動態を解析することができる。
【００６１】
ここで、ＧＰＳユニット４１５を用いた現在地点の特定方法について説明する。まず、ＧＰＳにおいては、地球の周りの６つの軌道面に４個ずつ、合計２４個のＧＰＳ衛星が配置されている。これらの衛星は、毎日同じ時刻に同じ衛星が位置するように軌道が調整され、地球上のどの地点からも（ただし、見通しのよい場所である必要がある）常に５ないし６個の衛星が見える。
【００６２】
ＧＰＳ衛星には、セシウム（Ｃｓ）の原子時計（発振器）が搭載されており、各衛星の時刻と同期を受けつつ正確な時刻を刻んでいる。さらに、各衛星には予備としてセシウム発振器が１台、ルビジウム（Ｒｂ）発振器が２台搭載されている。これは、ＧＰＳによる位置計測には正確な時刻が不可欠なためである。
【００６３】
ＧＰＳ衛星からは１５７５．４２ＭＨｚ（Ｌ１）および１２２７．６０ＭＨｚ（Ｌ２）の２つの周波数の電波（以下、ＧＰＳ信号という）が送信されている。この電波は疑似ランダム符号（Ｐｓｅｕｄｏ  Ｒａｎｄｏｍ  Ｎｏｉｓｅ  Ｃｏｄｅ）と呼ばれる乱数符号で変調されており、ＧＰＳユニット４１５などで受信した場合には、乱数表に相当するコードを参照し信号内容を解読する。
【００６４】
ＧＰＳユニット４１５は、解読したコードと自装置内の時計によって、ＧＰＳ衛星からＧＰＳ信号が発射された時刻と、自装置がＧＰＳ信号を受信した時刻との信号の時間差を計測する。そして、時間差に電波の伝播速度を掛け合わせ、ＧＰＳ衛星から自装置までの距離を算出する（距離＝速度×時間）。なお、この時刻は協定世界時（ＵＴＣ）に同期されている。
【００６５】
ＧＰＳ衛星からは、軌道の正確な情報が送られてくるため、ＧＰＳ衛星の現在地点は正確に知ることができる。したがって、ＧＰＳ衛星からの距離が分かれば、自装置の現在地点はＧＰＳ衛星を中心として、求めた距離を半径とする球面上のいずれかの地点となる。なお、ＧＰＳ信号の符号列は約１ｍｓの間隔で繰り返し送られる。ＧＰＳ信号の伝播速度は、４００，０００ｋｍ／秒であるため、最大測定距離は、４００，０００×０．００１＝４００ｋｍとなる。したがって、１００ｋｍ程度の精度においては、あらかじめ自装置の現在地点を知っておく必要がある。
【００６６】
このように、各ＧＰＳ衛星のうち３つの衛星からの距離を算出すれば、自装置の現在地点は３つの球面が交わる２点のうちのいずれか一方となる。また、２点のうち一方は、予測できる地点からかけ離れているため、原理的には１点が決定されることとなる。しかしながら、実際には算出される現在地点の候補点（３つの面の交点）は２点にならない。これは、主にＧＰＳユニット４１５に搭載された時計の精度が、ＧＰＳ衛星に搭載された原子時計に比べて低いため、計算結果に誤差が生じてしまうためである。
【００６７】
このため、ＧＰＳユニット４１５では、合計４つのＧＰＳ衛星からＧＰＳ信号を受信する。これは、ＧＰＳユニット４１５側の時計の誤差分を別の未知数として、新たな情報（方程式）を導入することで解を得ると考えることができる。このように、ＧＰＳユニット４１５は、４つのＧＰＳ衛星からのＧＰＳ信号を受信することによって、１点に収束するほぼ正確な現在地点を求めることができる。
【００６８】
各種センサ４１６は、車速センサや加速度センサ、Ｇセンサ、角速度センサなどであり、その出力値は、ＧＰＳユニット４１５による現在地点の算出や、速度や方位の変化量の測定などに用いられる。また、各種センサ４１６は、ドライバーによる車両の各操作を検知するセンサなども含む。車両の各操作の検知は、たとえば、ハンドル操作やウインカーの入力やアクセルペダルの踏み込みやブレーキペダルの踏み込みなどを検知する構成としてもよい。また、各種センサ４１６の出力値は、ドライブレコーダ機能で記録するデータとしてもよい。
【００６９】
また、各種センサ４１６においては、あらかじめ、ドライブレコーダ用画像を保存する際のトリガーを設定しておき、トリガーが検知された場合にドライブレコーダ用画像を保存する構成としてもよい。各種センサ４１６におけるトリガーは、たとえば、振動センサで規定以上の振動や所定の振動パターンを検知した場合に設定してもよい。所定の振動パターンは、急激な立ち上がりなど、異常を示す振動パターンであればよい。また、トリガーは、たとえば、Ｇセンサで規定以上のＧや所定のＧのかかり方のパターンを検知した場合に設定してもよい。所定のＧのかかり方は、急激な立ち上がりなど、異常を示すパターンであればよい。あるいは、車体の接触センサによる、他との接触の有無やエアバッグなどの作動や車両の停止をトリガーとする構成でもよい。さらに、前述のトリガーは一つ以上であればよく、複数を組み合わせてトリガーとしてもよい。
【００７０】
なお、実施の形態にかかる情報記録装置１００の機能的構成のうち、取得部１０１はＣＰＵ４０１および入力デバイス４１１によって、決定部１０２や算出部１０６はＣＰＵ４０１によって、検出部１０３は各種センサ４１６によって、保存部１０４は磁気ディスク４０５や光ディスク４０７によって、認識部１０５はＣＰＵ４０１や磁気ディスク４０５や光ディスク４０７および入力デバイス４１１によって、それぞれその機能を実現する。
【００７１】
（ナビゲーション装置３００の処理の内容）
つぎに、図５を用いて、本実施例にかかるナビゲーション装置３００の処理の内容について説明する。図５は、本実施例にかかるナビゲーション装置における処理の内容を示すフローチャートである。図５のフローチャートにおいて、まず、ナビゲーション装置３００は、車両が走行中となったか否かを判断する（ステップＳ５０１）。車両の走行に関する判断は、たとえば、各種センサ４１６の出力を参照しておこなってもよい。ここで、車両が走行中となるのを待って、走行中となった場合（ステップＳ５０１：Ｙｅｓ）は、つづいて、ＣＰＵ４０１は、入力デバイス４１１を介して、ドライバー情報を取得する（ステップＳ５０２）。ドライバー情報は、たとえば、ドライバーとなるユーザを認識する情報で、認証コードや指紋データあるいは生体情報などの入力をドライバーに促して取得してもよい。
【００７２】
つぎに、ＣＰＵ４０１は、ステップＳ５０２において取得されたドライバー情報によって認識されたユーザの運転習熟度をあらわす習熟度データがあるか否かを判断する（ステップＳ５０３）。習熟度データは、たとえば、ユーザによって記録媒体にあらかじめ登録されている構成でもよく、ユーザの事故歴や運転性向や免許取得年数などを登録する構成でもよい。
【００７３】
ステップＳ５０３において、習熟度データがあった場合（ステップＳ５０３：Ｙｅｓ）は、ＣＰＵ４０１は、習熟度データに基づいた運転習熟度に応じて、トリガー検知のしきい値を設定する（ステップＳ５０４）。トリガー検知のしきい値は、たとえば、ドライブレコーダ用画像を保存するトリガーとなるセンサのセンサ検出感度などでもよい。運転習熟度に応じたしきい値は、たとえば、図６および図７に後述する標準しきい値表を参照して設定してもよく、運転習熟度が高いドライバーであるほど高く設定したり、車両の運転所要時間に応じて設定してもよい。
【００７４】
また、ステップＳ５０３において、習熟度データがなかった場合（ステップＳ５０３：Ｎｏ）は、ユーザは、入力デバイス４１１を介して習熟度データを登録する（ステップＳ５０５）。習熟度データの登録は、たとえば、ディスプレイ４１３などに登録を促すメッセージなどを表示してもよい。そして、ＣＰＵ４０１は、ステップＳ５０５において登録された習熟度データに基づいた運転習熟度に応じて、トリガー検知のしきい値を設定する（ステップＳ５０４）。なお、ステップＳ５０４において習熟度データの登録をおこなう代わりに、標準（習熟度データがない場合）のトリガー検知のしきい値を設定する構成としてもよい。
【００７５】
そして、カメラ４１７は、ドライブレコーダ用画像の撮影を開始する（ステップＳ５０６）。ドライブレコーダ用画像は、たとえば、車両周辺の画像などで一定時間における動画でもよい。また、ドライブレコーダ用画像は、磁気ディスク４０５や光ディスク４０７などの記録媒体に上書き記録する構成でもよい。上書き記録は、たとえば、一定時間における動画を、記録媒体の記録容量を超えないように、順次上書きして記録することであり、上書き記録用の記録媒体や上書き記録用の記録領域を有する記録媒体に記録する。
【００７６】
つぎに、ＣＰＵ４０１は、ステップＳ５０４において設定されたトリガー検知のしきい値によってトリガーを検知したか否かを判断する（ステップＳ５０７）。トリガーは、たとえば、各種センサ４１６の出力によって、ドライブレコーダ用画像を保存するきっかけなどでよい。より具体的には、振動センサで規定以上の振動や所定の振動パターンを検知した場合に設定してもよい。所定の振動パターンは、急激な立ち上がりの振動など、異常を示す振動パターンであればよい。また、トリガーは、たとえば、Ｇセンサで規定以上のＧや所定のＧのかかり方のパターンを検知した場合に設定してもよい。所定のＧのかかり方は、急激な立ち上がりのＧなど、異常を示すパターンであればよい。あるいは、車体の接触センサによる、他との接触の有無やエアバッグなどの作動をトリガーとする構成でもよい。
【００７７】
また、トリガーは、ステップＳ５０４において設定されたセンサ検出感度における各種センサ４１６の出力によって車両の危険な挙動の原因となるドライバーの運転操作を検知して、トリガーを検知する構成としてもよい。より具体的には、所定の角速度を超えた急ハンドルやウインカーを出さずに指定以上の角度のハンドル操作や眠気を催したときに特有なハンドル操作など通常と異なるハンドル操作をトリガーとしてもよい。また、指定の加速度以上の加速・減速や信号のない交差点で減速がなかったことや赤信号（黄信号）で減速がなかったことや眠気を催したときに特有のペダル操作など通常と異なるペダル操作をトリガーとする構成としてもよい。なお、ハンドル操作やペダル操作の異常は、あらかじめ動作パターンを登録して、登録された動作パターンと比較する構成でもよい。また、信号のない交差点やその他停止の必要がある地点は、記録媒体に記録された地図情報に基づいて取得してもよい。信号の色は、カメラ４１７で撮影した画像から判断する構成でもよい。
【００７８】
そして、ステップＳ５０７において、トリガーを検知した場合（ステップＳ５０７：Ｙｅｓ）は、磁気ディスク４０５や光ディスク４０７などの記録媒体は、ステップＳ５０６において上書き記録されているドライブレコーダ用画像を保存する（ステップＳ５０８）。ドライブレコーダ用画像は、たとえば、ステップＳ５０７においてトリガーを検知した検知時点とその前後一定時間における画像を保存する構成でもよい。また、一定時間は搭乗者によって設定できる構成でもよく、検知時点から一定時間内に再度トリガーを検知した場合は、保存する時間を延長できる構成でもよい。また、ドライブレコーダ用画像の保存は、保存用の記録媒体や保存用の記録領域を有する記録媒体に記録する構成でもよい。
【００７９】
そして、ステップＳ５０８において、ドライブレコーダ用画像の保存の終了後、ＣＰＵ４０１は、車両の走行が終了したか否かを判断する（ステップＳ５０９）。保存の終了は、たとえば、入力デバイス４１１を介して保存終了の指示を受け付けてもよい。保存終了の指示は、たとえば、保存の開始を搭乗者に報知して、搭乗者が入力デバイス４１１を操作して入力する構成でもよい。また、ステップＳ５０７においてトリガーを検知した時点から、所定時間経過後に保存終了する構成でもよい。また、車両の走行に関する判断は、たとえば、各種センサ４１６の出力を参照しておこなってもよい。より具体的には、各種センサ４１６の出力が停止した時点で車両の走行が終了したと判断してもよい。
【００８０】
また、ステップＳ５０７において、トリガーを検知しなかった場合（ステップＳ５０７：Ｎｏ）は、ステップＳ５０９に移行して、ＣＰＵ４０１は、車両の走行が終了したか否かを判断する（ステップＳ５０９）。
【００８１】
ここで、ステップＳ５０９において、車両の走行が終了しない場合（ステップＳ５０９：Ｎｏ）は、ステップＳ５０６に戻って処理を繰り返す。また、ステップＳ５０９において、車両の走行が終了した場合（ステップＳ５０９：Ｙｅｓ）は、そのまま一連の処理を終了する。
【００８２】
なお、本図の説明では、ステップＳ５０３において、あらかじめ登録された習熟度データがあるか否かを判断する構成としているが、ユーザの習熟度データを記録媒体に累積保存する構成でもよい。累積保存する習熟度データは、たとえば、ユーザの走行距離や、危険操作の回数および内容や過去の平均トリガー検知回数などを含む情報でもよい。
【００８３】
また、本図の説明では、ステップＳ５０６において車両周辺の画像をドライブレコーダ用画像として撮影して上書き記録する構成としているが、その他各種センサ４１６の出力など走行状態に関する情報をあわせて上書き記録する構成としてもよい。また、その場合、ステップＳ５０７において、トリガーを検知した段階で、検知した検知時点とその前後一定時間における出力を保存してもよい。
【００８４】
つぎに、図６を用いて、本実施例にかかるトリガー検知のしきい値の設定について、標準しきい値表の一例について説明する。図６は、本実施例にかかる標準しきい値表の一例を示す説明図である。
【００８５】
図６において、標準しきい値表６００は、運転習熟度６０１と、センサ検出感度６０２と、を有している。運転習熟度６０１は、たとえば、ユーザに関連づけられた習熟度データに基づいて特定することができる構成でもよい。習熟度データは、たとえば、ユーザの事故歴や運転性向や免許取得年数やユーザの走行距離や危険操作の回数および内容や過去の平均トリガー検知回数などを数値化し、所定のしきい値に応じてランクを分ける構成でもよい。また、数値化するパラメータは一つ以上あればよく、任意に設定できる構成でもよい。また、数値化する代わりに、それぞれのパラメータに直接しきい値を設定して運転習熟度のランク分けをおこなう構成でもよい。
【００８６】
センサ検出感度６０２は、各種センサ４１６の検出感度を示すものであり、運転習熟度６０１に応じて設定されている。センサ検出感度６０２は、本図ではそれぞれ、Ａランクの運転習熟度６０１に対しては８０％、Ｂランクの運転習熟度６０１に対しては６０％、Ｃランクの運転習熟度６０１に対しては４０％に定めている。なお、本図を参照して、前述のステップＳ５０４におけるトリガー検知のしきい値を設定する構成でもよい。
【００８７】
つぎに、図７を用いて、本実施例にかかるトリガー検知のしきい値の設定について、標準しきい値表の図６とは別の一例について説明する。図７は、本実施例にかかる標準保存回数を用いた標準しきい値表の一例を示す説明図である。
【００８８】
図７において、標準しきい値表７００は、運転習熟度７０１と、センサ検出感度７０２と、標準保存回数７０３と、を有している。運転習熟度７０１は、たとえば、ユーザに関連づけられた習熟度データに基づいて特定することができる構成でもよい。習熟度データは、たとえば、ユーザの事故歴や運転性向や免許取得年数やユーザの走行距離や危険操作の回数および内容や過去の平均トリガー検知回数などを数値化し、所定のしきい値に応じてランクを分ける構成でもよい。また、数値化するパラメータは一つ以上あればよく、任意に設定できる構成でもよい。また、数値化する代わりに、それぞれのパラメータに直接しきい値を設定して運転習熟度のランク分けをおこなう構成でもよい。
【００８９】
センサ検出感度７０２は、各種センサ４１６の検出感度を示すものであり、運転習熟度７０１毎に標準保存回数７０３に応じて設定されている。標準保存回数７０３は、センサ検出感度７０２と関連づけられており、単位時間あたりに記録媒体の記録領域に保存する標準の回数である。より具体的には、たとえば、運転習熟度７０１がＡランクであれば、センサ検出感度７０２が８０％のセンサを用いてトリガー検知をおこなった場合、記録領域には標準的に１時間あたり４回保存することとなる。また、センサ検出感度７０２が６０％のセンサを用いてトリガー検知をおこなった場合、記録領域には標準的に１時間あたり３回保存することとなる。同様に、センサ検出感度７０２が４０％のセンサを用いてトリガー検知をおこなった場合、記録領域には標準的に１時間あたり２回保存することとなる。
【００９０】
ここで、本図におけるトリガー検知のしきい値は、各運転習熟度における運転所要時間と記録領域の容量とに基づいて、センサ検出感度７０２を設定する構成でもよい。より具体的には、たとえば、運転習熟度７０１がＢランクのドライバーの場合、記録領域の許容量が３０回、運転所要時間が５時間であるとすると、標準保存回数７０３は５回まで許容量を超えることがない。したがって、センサ検出感度７０２を６０％に設定する。つまり、本図におけるトリガー検知のしきい値の設定は、標準しきい値表７００に基づいて、（運転習熟度のランクに応じた標準保存回数）×（所要時間）＜（許容量）となる、最大の標準保存回数７０３に応じたセンサ検出感度７０２を設定することとしてもよい。なお、運転所要時間は、たとえば、目的地点までの所要時間などで、設定された目的地点に基づいて算出する構成でもよく、渋滞情報を加味して算出してもよい。また、ユーザが直接入力する構成でもよい。
【００９１】
なお、記録領域の許容量を保存回数とする代わりに、保存時間としてトリガー検知のしきい値を設定する構成でもよい。その場合、標準しきい値表７００における標準保存回数７０３は、単位時間あたりにドライブレコーダ用画像を保存する時間として、前述とほぼ同様にして、センサ検出感度７０２を設定すればよい。
【００９２】
以上説明したように、本実施例によれば、ドライバーの運転習熟度に応じて、トリガー検知のしきい値となるセンサ検出感度を設定する。そして、設定されたセンサ検出感度によってトリガーを検知してドライブレコーダ用画像を保存するため、運転習熟度に起因する事故遭遇時ではない場合の、誤ったトリガーを検知することを防ぐことができる。したがって、余分なドライブレコーダ用画像を保存する回数を抑制することができる。また、記録媒体の容量を適切に確保できるため、ドライブレコーダ用画像を確実に保存することができ、事故検証や事故予防の資料に役立てることができる。
【００９３】
また、本実施例によれば、ドライブレコーダ用画像とともに、各種センサ４１６の出力など走行状態に関する情報を保存することもできる。したがって、より詳細な事故検証や事故予防の資料を取得することができ、確実に事故検証や事故予防がおこなえる。
【００９４】
また、本実施例によれば、記録媒体の容量に応じたセンサ検出感度を設定できるため、記録媒体の容量の不足を防ぐことができ、確実にドライブレコーダ用画像の保存を図ることができる。また、記録媒体の容量を所定間隔で検知する構成とすれば、長時間の運転で、容量が減少していく過程においても、記録媒体の容量を確保することができる。
【００９５】
また、本実施例によれば、トリガー検知のしきい値として、センサ検出感度を設定する構成としているが、センサ検出感度を設定する代わりに、トリガーを検知するセンサの選択をおこなう構成としてもよい。さらに、トリガーとなるセンサにおいて、車両の異常を検出するしきい値自体を設定する構成としてもよい。こうすることで、本発明の汎用性を高めることができる。
【００９６】
また、本実施例では習熟度データを記録媒体に記録する構成であるが、外部サーバで管理するようにしてもよい。そして、必要に応じて取得することで、車載機への負担を軽減することができる。また、本発明においては、データ保護機能やデータを暗号化する機能を有するものとすれば、データの改ざんを防止することができ、適切なデータの利用を図ることができる。
【００９７】
なお、本実施の形態で説明した情報記録方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【００９８】
【図１】本実施の形態にかかる情報記録装置の機能的構成の一例を示すブロック図である。
【図２】本実施の形態にかかる情報記録装置の処理の内容を示すフローチャートである。
【図３】本実施例にかかるナビゲーション装置が設置された車両のダッシュボード付近の一例を示す説明図である。
【図４】本実施例にかかるナビゲーション装置のハードウェア構成の一例を示すブロック図である。
【図５】本実施例にかかるナビゲーション装置における処理の内容を示すフローチャートである。
【図６】本実施例にかかる標準しきい値表の一例を示す説明図である。
【図７】本実施例にかかる標準保存回数を用いた標準しきい値表の一例を示す説明図である。
【符号の説明】
【００９９】
１００  情報記録装置
１０１  取得部
１０２  決定部
１０３  検出部
１０４  保存部
１０５  認識部
１０６  算出部
【図１】
2007126090.tif 000003
【図２】
2007126090.tif 000004
【図３】
2007126090.tif 000005
【図４】
2007126090.tif 000006
【図５】
2007126090.tif 000007
【図６】
2007126090.tif 000008
【図７】
2007126090.tif 000009